(57)【特許請求の範囲】
【請求項１】
内容液を収容する容器から内容液を吐出する吐出装置であって、
内部に内容液の計量室を区画するとともに、前記容器から排出された内容液を前記計量室内に導く流入開孔と、前記計量室を挟んで前記流入開孔の反対側に位置するノズル挿通孔と、該ノズル挿通孔の周縁部から下方に延出するガイド筒とが形成された計量部と、
前記ノズル挿通孔を通じて前記計量室の内外に延在するとともに、前記ノズル挿通孔の周縁部およびガイド筒のみによってその延在方向に沿って押し込み位置と引き出し位置との間でスライド可能かつ抜け出し不能に前記計量部に支持され、その内側を外界に通じる吐出経路とされた筒状のノズルと、
前記ノズルに設けられ、前記引き出し位置において前記流入開孔を開放して前記計量室内に内容液を充満させる一方、前記押し込み位置において前記流入開孔を閉鎖する弁部と、を備え、
前記ノズルは、前記押し込み位置において前記計量室内に露出して、該計量室内に充満された内容液を前記吐出経路に流出させる流出開孔を有し、前記弁部が、該ノズルに一体に形成された頂壁からなると共に、該ノズル側壁に、該ノズルの径方向外側に突出し、前記引き出し位置において、前記ノズル挿通孔の周縁部に当接して前記計量部からの抜け出しと、前記計量室内の内容液の浸入を阻止する環状顎を備えることを特徴とする吐出装置。
【請求項２】
前記ノズルは、前記計量室の外に位置する側の端部に、前記ノズルを通じて注入される内容物を収容する他の容器を着脱自在に保持する保持部材を備える、請求項１に記載の吐出装置。
【請求項３】
前記弁部が前記流入開孔を閉鎖する状態を維持する係合手段をさらに備える、請求項１または２に記載の吐出装置。
【請求項４】
前記計量部は、前記計量室を区画する殻部材を有し、該殻部材は、前記ノズルの延在方向に相互に液密に連結された２つの半部からなる、請求項１から３までのいずれか一項に記載の吐出装置。
【発明の詳細な説明】
【技術分野】
【０００１】
本発明は、例えば、内溶液を収容する容器の排出口に装着され、該容器内の内溶液を吐出する吐出装置に関する。
【背景技術】
【０００２】
従来、この種の吐出装置としては、下記特許文献１に記載の注出コックがあり、この注出コックは、タンク等の容器の排出口にバルブハウジングを連結し、該バルブハウジングの一側面に弁座を形成するとともに、バルブハウジング内にレバーに連結された弁体を摺動自在に収納して、これら弁体と弁座とで流量調整弁を形成し、この流量調整弁により任意の流量に調整可能としたものである。
【先行技術文献】
【特許文献】
【０００３】
【特許文献１】特開２００２−３２７８５０号公報
【発明の概要】
【発明が解決しようとする課題】
【０００４】
しかしながら、上記従来の注出コックでは、他の容器に一定量注出する場合には、当該他の容器に注がれた液体の液面を目視で確認しながら、規定量に近づくにつれて流量を減少させ、規定量に達した時点でレバーを元の位置に戻し注出を停止するというような煩雑なレバー操作が必要であり、また、レバーを戻すタイミングが遅れると規定量を超える液体が注がれたり、容器から液体があふれ出たりするという問題があった。
【０００５】
本発明は上記の問題点を解決するためになされたものであり、簡単な操作で容器から常に一定量の内容液を吐出することができる吐出装置を提供することを目的とする。
【課題を解決するための手段】
【０００６】
上記課題を解決するためになされた本発明の吐出装置は、内容液を収容する容器から内容液を吐出する吐出装置であって、内部に内容液の計量室を区画するとともに、前記容器から排出された内容液を前記計量室内に導く流入開孔と、前記計量室を挟んで前記流入開孔の反対側に位置するノズル挿通孔と、該ノズル挿通孔の周縁部から下方に延出するガイド筒とが形成された計量部と、前記ノズル挿通孔を通じて前記計量室の内外に延在するとともに、前記ノズル挿通孔の周縁部およびガイド筒のみによってその延在方向に沿って押し込み位置と引き出し位置との間でスライド可能かつ抜け出し不能に前記計量部に支持され、その内側を外界に通じる吐出経路とされた筒状のノズルと、前記ノズルに設けられ、前記引き出し位置において前記流入開孔を開放して前記計量室内に内容液を充満させる一方、前記押し込み位置において前記流入開孔を閉鎖する弁部と、を備え、前記ノズルは、前記押し込み位置において前記計量室内に露出して、該計量室内に充満された内容液を前記吐出経路に流出させる流出開孔を有し、前記弁部が、該ノズルに一体に形成された頂壁からなると共に、該ノズル側壁に、該ノズルの径方向外側に突出し、前記引き出し位置において、前記ノズル挿通孔の周縁部に当接して前記計量部からの抜け出しと、前該計量室内の内容液の浸入を阻止する環状顎を備えることを特徴とするものである。
【０００７】
なお、本発明の吐出装置にあっては、前記ノズルは、前記計量室の外に位置する側の端部に、前記ノズルを通じて注入される内容液を収容する他の容器を着脱自在に保存する保持部材を備えることが好ましい。
【０００８】
また、本発明の吐出装置にあっては、前記弁部が前記流入開孔を閉鎖する状態を維持する係合手段をさらに備えることが好ましい。
【００１０】
さらに、本発明の吐出装置にあっては、前記計量部は、前記計量室を区画する殻部材を有し、該殻部材は、前記ノズルの延在方向に相互に液密に連結された２つの半部からなることが好ましい。
【発明の効果】
【００１１】
本発明の吐出装置によれば、ノズルが引き出されることで一定容積の計量室が容器から排出された内容液で充満され、次いでノズルを押し込むことで当該計量室内の内容液が全量吐出されるように構成されているので、簡単な操作で容器から常に一定量の内容液を吐出させることができる。
【図面の簡単な説明】
【００１２】
【図１】本発明の一実施形態に係る吐出装置を容器に装着した状態で示す、ノズルの延在方向に沿う断面図である。
【図２】図１の実施形態の吐出装置を拡大して示す断面図である。
【図３】図２中のＡ−Ａ線に沿う断面図である。
【図４】図１の実施形態の吐出装置の使用例を示す断面図である。
【図５】本発明の他の実施形態に係る吐出装置を示し、（ａ）はノズルの延在方向に沿う断面図であり、（ｂ）は図５（ａ）中のＢ−Ｂ線に沿う断面図である。
【発明を実施するための形態】
【００１３】
以下、本発明の実施の形態を図面に基づき詳細に説明する。ここに図１は、本発明の一実施形態に係る吐出装置を容器に装着した状態で示す、ノズルの延在方向に沿う断面図であり、図２は、本実施形態の吐出装置を拡大して示す断面図であり、図３は図２中のＡ−Ａ線に沿う断面図であり、図４は本実施形態の吐出装置の使用例を示す断面図である。
【００１４】
図１に示すように、本実施形態の吐出装置１０は、タンクや樽などの比較的大容量の容器（以下、大容器という。）Ｃ１からその内部に収容された洗剤や飲料、油、薬品などの内容液を、他の比較的小容量の容器（以下、小容器という。）Ｃ２に吐出するものであり、概して、大容器Ｃ１の排出口Ｃ１ａに接続される接続部１１と、該接続部１１を介して供給された内容液を一旦貯留する計量部１２と、計量部１２に貯留された内容液を小容器Ｃ２に吐出するノズル１３とを備えており、これらの接続部１１、計量部１２およびノズル１３は合成樹脂からなる。
【００１５】
図２に示すように、接続部１１は、大容器Ｃ１の排出口Ｃ１ａに螺合される円筒状の接続口１５と、該接続口１５の、排出口Ｃ１ａの突端側の端縁から径方向内側に延びて当該排出口Ｃ１ａの突端に当接される環状壁１６と、該環状壁１６の内端縁から接続口１５および排出口Ｃ１ａの共通軸線Ｘに沿って環状壁１６から離れる方向に突設され、先端が閉塞された延長管１７とを有し、当該延長管１７の内面は、上記共通軸線Ｘに沿って延在するとともに大容器Ｃ１の排出口Ｃ１ａから排出された内容液を流通させる供給経路ｐ１を区画している。
【００１６】
計量部１２は、接続部１１の延長管１７の一部で構成される円形の天壁１９と、該天壁１９を取り囲むように延長管１７から下方に延出された円筒状の環状壁２０と、当該環状壁２０に吊り下げ保持されるとともにノズル１３との間に環状空間を隔てて当該ノズル１３を取り囲む殻部材２１とを有している。これらの天壁１９、環状壁２０および殻部材２１の内面は、協働して所定容積の計量室Ｍを区画する。殻部材２１は、ノズル１３の延在方向Ｙに相互に液密に連結された上側半部２１ａおよび下側半部２１ｂとからなる。本例では、これらの半部２１ａ，２１ｂは、アンダーカット嵌合により相互連結されているが、螺合や接着により連結されても構わない。
【００１７】
天壁１９には、延長管１７内の供給経路ｐ１と計量室Ｍとを連通し、大容器Ｃ１から排出された内容液を計量室Ｍ内に導く流入開孔２３が形成されている。計量室Ｍを挟んで当該流入開孔２３の反対側の位置、つまり下側半部２１ｂの下端部にはノズル１３を挿通させるノズル挿通孔２５が形成されている。ノズル挿通孔２５の周縁部２６には、下方に延出され、当該ノズル挿通孔２５に挿通されたノズル１３に液密に接するとともにノズル１３をスライド可能に案内、支持するガイド筒２７が一体に設けられている。
【００１８】
ノズル１３は、下端が吐出口として開口された円筒状の側壁２８と該側壁２８の上端を閉塞する頂壁２９とを一体に有する有頂筒状をなし、当該側壁２８の内面によって外界（小容器Ｃ２の内部）に通じる吐出経路ｐ２が区画されている。ノズル１３は、ノズル挿通孔２５を通じて計量室Ｍの内外に延在するとともにその延在方向Ｙに沿って押し込み位置（上死点）と引き出し位置（下死点）との間でスライド可能にノズル挿通孔２５の周縁部２６およびガイド筒２７に支持されるとともに、当該引き出し位置において、側壁２８の上下方向略中央位置から径方向外側に突出する環状鍔２８ａがノズル挿通孔２５の周縁部２６に当接して計量部１２から抜け出し不能とされている。環状鍔２８ａは、ノズル挿通孔２５の周縁部２６に着座した際に、ガイド筒２７とノズル１３の側壁２８との間への計量室Ｍ内の内容液の浸入を阻止するシール手段を構成するものであってもよい。
【００１９】
ノズル１３の頂壁２９は、ノズル１３の引き出し位置において天壁１９に形成された流入開孔２３を開放して計量室Ｍ内に内容液を充満させる一方、ノズル１３の押し込み位置において当該流入開孔２３を閉鎖する弁部としての機能を有するものである。
【００２０】
ノズル１３の側壁２８には、ノズル１３の引き出し位置ではガイド筒２７に対向して該ガイド筒２７により閉鎖される一方、ノズル１３の押し込み位置では計量室Ｍ内に露出して、計量室Ｍ内の内容液をノズル１３内の吐出経路ｐ２に流出させる流出開孔３１が対向２箇所に形成されている。なお、流出開孔３１は少なくとも１つあればよく、３つ以上設けてもよい。
【００２１】
また、本実施形態の吐出装置１０は、ノズル１３の、計量室Ｍ外に位置する側の端部、つまり下端部に取り付けられた保持部材３３を備えている。この保持部材３３は、ノズル１３を通じて内容液が注入されるここではカップ状の小容器Ｃ２を着脱自在に保持するものであり、ノズル１３の下端部が途中まで挿入されるとともに当該下端部に係合、保持される係合筒３３ａと、係合筒３３ａから径方向外側に延びる円盤状の蓋部３３ｂと、蓋部３３ｂの下面から下方に突出し、小容器Ｃ２の開口部上端の内面とアンダーカット嵌合する嵌合爪３３ｃとを備えるものである。嵌合爪３３ｃは、互いに対向する２箇所に設けられているので、図３に示すように使用者が小容器Ｃ２の、嵌合爪３３ｃ間に対応する側面領域を握り、小容器Ｃ２を押圧変形させることで、小容器Ｃ２の開口部上端と嵌合爪３３ｃとの嵌合が緩み、小容器Ｃ２を保持部材３３から取り外すことができる。同様に、小容器Ｃ２を保持部材３３に取り付ける場合には、小容器Ｃ２の側面を押圧変形させるとともに、小容器Ｃ２の開口部内に嵌合爪３３ｃを位置させ、この状態で当該押圧を解放することで小容器Ｃ２の開口部上端と嵌合爪３３ｃとを嵌合させることができる。また、係合筒３３ａの下端面３３ａ１は一方向に傾斜した傾斜面とされ、これにより良好な液切れ性が確保される。
【００２２】
さらに、本実施形態の吐出装置１０は、図２に示すように、ノズル１３の頂壁２９が流入開孔２３を閉鎖する状態を維持する係合手段３６として、環状壁２０の内面に形成された環状リブ３６ａと、ノズル１３の側壁２８上部に形成され、ノズル１３の押し込み位置において当該環状リブ３６ａと係合する環状溝３６ｂとを有している。なお、ノズル１３の側壁２８上部に環状リブ３６ａを設けるとともに、環状壁２０の内面に環状溝３６ｂを設けてもよい。
【００２３】
次に本実施形態の吐出装置１０の使用例について図４を参照して説明する。まず、図４（ａ）は、カップ状の小容器Ｃ２を保持部材３３に取り付けた直後の様子を示しており、この状態では、小容器Ｃ２およびノズル１３の自重によりノズル１３が引き出し位置（下死点）に維持されることにより、計量室Ｍの上部に形成された流入開孔２３は開放される一方、ノズル１３の側壁２８に形成された流出開孔３１はガイド筒２７によって閉鎖されている。このため、大容器Ｃ１の排出口Ｃ１ａから排出された内容液は、計量室Ｍの上部に形成された流入開孔２３を通じて計量室Ｍ内に流入し計量室Ｍ内は内容液で満たされる。
【００２４】
この状態から、図４（ｂ）に示すように使用者が小容器Ｃ２を上死点まで押し上げると、計量室Ｍ上部の流入開孔２３はノズル１３の頂壁２９によって閉鎖される一方、ノズル１３の側壁２８に形成された流出開孔３１は計量室Ｍ内に露出して、計量室Ｍ内の内容液は当該流出開孔３１およびノズル１３内の吐出経路ｐ２を通って小容器Ｃ２内に吐出される。このとき、環状壁２０に形成された環状リブ３６ａとノズル１３の上部に形成された環状溝３６ｂとが係合し、当該頂壁２９が流入開孔２３を閉鎖する状態は維持されるため、使用者は計量室Ｍ内の内容液が全量吐出されるまで小容器Ｃ２から手を離した状態で吐出が止まるのを待てばよい。
【００２５】
ノズル１３からの吐出が止まった後、使用者が、図４（ｃ）に示すようにノズル１３を下方に引き出すと、流出開孔３１はガイド筒２７によって閉鎖される一方、ノズル１３の頂壁２９によって閉鎖されていた流入開孔２３は開放されるので、計量室Ｍ内は大容器Ｃ１から排出された内容液で再び満たされる。そして、使用者は小容器Ｃ２の側面を握り、当該側面を図３に示したように変形させることで、当該小容器Ｃ２を保持部材３３から取り外すことができる。
【００２６】
以上説明したように、本実施形態の吐出装置１０は、ノズル１３を引き出すことで一定容積の計量室Ｍが大容器Ｃ１から排出された内容液で充満され、次いでノズル１３を押し込むことで計量室Ｍ内の内容液が全量、小容器Ｃ２に吐出されるように構成されているので、簡単な操作で大容器Ｃ１から常に一定量の内容液を吐出することができる。
【００２７】
また、本実施形態の吐出装置１０は、小容器Ｃ２を着脱自在に保持する保持部材３３を備えるので、内容液を外にこぼすことなく確実に小容器Ｃ２内に吐出することができる。
【００２８】
さらに、本実施形態の吐出装置１０は、ノズル１３の頂壁２９が流入開孔２３を閉鎖する状態を維持する係合手段３６を備えるので、使用者が小容器Ｃ２から手を離したとしても吐出を継続させることができて操作が非常に楽である。
【００２９】
さらに、本実施形態の吐出装置１０では、流入開孔２３を開閉する弁部がノズル１３に一体に形成された頂壁２９で構成されているため、部品点数が少なくてすみ、安価に製作することができる。
【００３０】
さらに、本実施形態の吐出装置１０では、計量部１２は計量室Ｍを区画する殻部材２１を有し、該殻部材２１はノズル１３の延在方向Ｙに相互に液密に連結された上側半部２１ａおよび下側半部２１ｂからなるため、環状鍔２８ａが設けられたノズル１３を計量部１２に容易に組み付けることができる。
【００３１】
次いで、本発明に係る他の実施形態の吐出装置１０について図５を参照して説明する。図５に示すように、本実施形態では、保持部材３３とカップ状の小容器Ｃ２との連結構造が先の実施形態のものとは異なるものであり、具体的には、保持部材３３は、先の実施形態における嵌合爪３３ｃに代えて、蓋部３３ｂの下面から下方に一体に突設された円筒壁３３ｄを有し、円筒壁３３ｄの外面には、小容器Ｃ２の開口部上端に形成された雌ネジＣ２１と螺合する雄ネジ３３ｄ１が形成されている。本実施形態の吐出装置１０は、小容器Ｃ２を手で変形させることなく、小容器Ｃ２を保持部材３３に着脱することができるという利点がある。なお、本実施形態の吐出装置１０は、小容器Ｃ２を回転させて着脱する際の保持部材３３の連れ廻りを阻止する廻り止め機構を備えている。廻り止め機構は、一例として図５（ｂ）に示すように、ガイド筒２７の外周面に一体に形成された少なくとも１本、図示例では４本の縦リブ２７ａと、ガイド筒２７を取り囲むように蓋部３３ｂの上面に立設され、その内面側にガイド筒２７の縦リブ２７ａとスライド可能に係合する縦溝３８ａが形成された外筒３８とからなる。図示は省略するが、外筒３８の内面に同様の縦リブを設けるとともに、ガイド筒２７の外面に該縦リブとスライド可能に係合する同様の縦溝を形成してもよい。
【産業上の利用可能性】
【００３２】
かくして本発明の吐出装置によれば、容器から常に一定量の内容液を吐出することができる。
【符号の説明】
【００３３】
１０  吐出装置
１１  接続部
１２  計量部
１３  ノズル
１７  延長管
１９  天壁
２０  環状壁
２１  殻部材
２１ａ  上側半部
２１ｂ  下側半部
２３  流入開孔
２５  ノズル挿通孔
２７  ガイド筒
２７ａ  縦リブ
２８  側壁
２９  頂壁（弁部）
３１  流出開孔
３３  保持部材
３８  外筒
３８ａ  縦溝
Ｃ１  大容器
Ｃ２  小容器
Ｍ  計量室
ｐ１  供給経路
ｐ２  吐出経路
【図１】
0006737631.tif 000002
【図２】
0006737631.tif 000003
【図３】
0006737631.tif 000004
【図４】
0006737631.tif 000005
【図５】
0006737631.tif 000006